(57)【要約】【課題】設置場所の照度に応じて、表示部の光源の光量を調整すると共に、照度を検出する照度センサの受光部の前に障害物が存在するときには、障害物が存在することを示すテロップを表示部に表示することができる表示装置を提供することを目的とする。【解決手段】障害物の有無を検出する障害物センサ５を、前記照度センサ４に隣接して設けることにより、前記障害物センサ５により障害物が検出されたときに、障害物が検知されたことを示すテロップを前記表示部２に表示して、障害物を取除くように注意を喚起する構成とした。【選択図】図１
2009025729.tif 000002
【特許請求の範囲】
【請求項１】
光源の光を使用して映像を表示する表示部と、受光部からの入力に基づいて照度を検出する照度センサと、該照度センサにより検出された照度に基づいて前記表示部の輝度を調整する輝度調整手段とを備える表示装置において、
前記受光部での障害物の有無を検出する障害物センサと、
該障害物センサの出力を取込む取込み手段と、
該取込み手段が、障害物を検出したことを示す出力を取込んだときに、障害物が検出されたことを示す情報を前記表示部に表示する情報表示手段と
を備えることを特徴とする表示装置。
【請求項２】
前記照度センサにより検出された照度が所定値未満であるか否かを判定する手段を備え、該手段が、検出された照度は所定値未満であると判定したときに、前記障害物センサの出力を取込む手段を前記取込み手段は備えることを特徴とする請求項１に記載の表示装置。
【請求項３】
前記取込み手段は、前記障害物センサの出力を逐次取込む手段を備えており、障害物を検出したことを示す出力を、前記取込み手段が前記障害物センサから複数回連続して取込んだときに障害物が存在すると判定する手段を備え、該手段が、障害物が存在すると判定したときに、障害物が検出されたことを示す情報を前記表示部に表示する手段を前記情報表示手段は備えることを特徴とする請求項１又は２に記載の表示装置。
【請求項４】
障害物が検出されたことを示す情報を前記表示部に表示している場合に、前記障害物センサの出力に基づいて障害物が存在するか否かを判定する手段を備え、該手段が障害物は存在すると判定したときに、前記情報の表示を継続し、該手段が障害物は存在しないと判定したときに、前記情報の表示を終了する手段を前記情報表示手段は備えることを特徴とする請求項１から３のいずれか一つに記載の表示装置。
【請求項５】
スピーカと、前記障害物センサにより障害物が検出されたときに、該スピーカに音を発生させる手段とを備えることを特徴とする請求項１から４のいずれか一つに記載の表示装置。
【発明の詳細な説明】
【技術分野】
【０００１】
本発明は設置場所の照度に応じて、表示部の輝度を調整することができる表示装置を提供することを目的とする。
【背景技術】
【０００２】
液晶表示装置は、表示部の背面側に光源として冷陰極管を配置し、表示部に向けて光を照射して表示部の輝度を調整し、表示部に表示された映像を認識できるようにしてある。表示部に表示された映像を認識するために必要な輝度は、液晶表示装置の設置場所での照度が高くなるに連れて多くなり、低くなるに連れて少なくなる。
【０００３】
従来は液晶表示装置に照度センサと、該照度センサにより検出された照度に応じて、液晶表示装置に使用している冷陰極管の光量を調整する調光回路とを設け、前記冷陰極管への印加電圧を調整し、表示部の輝度を調整していた（特許文献１参照）。
【特許文献１】実開平３−３８８９号公報
【発明の開示】
【発明が解決しようとする課題】
【０００４】
従来の液晶表示装置は、前記照度センサの受光部にて、該受光部への光の入射を妨げる障害物を接近させてある場合に、液晶表示装置の設置場所での照度を正確に検出することができず、前記光源の光量は、前記表示部に表示された映像を認識するために必要な光量よりも少なくなり、表示部の輝度が低下して表示部に表示された映像を認識することが困難になる。
【０００５】
本発明は斯かる事情に鑑みてなされたものであり、前記受光部での障害物の有無を検出する障害物センサを設けることにより、前記障害物センサにより障害物が検出されたときに、障害物が検知されたことを示す情報を前記表示部に表示し、前記受光部の前に障害物を接近させてある場合には、障害物を取除くように注意を喚起し、前記表示部の輝度を適切に調整することができる表示装置を提供することを目的とする。
【０００６】
また前記照度センサにより検出された照度が所定値未満であるか否かを判定する手段を設け、検出された照度が所定値未満であると判定されたときに、前記障害物センサの出力を取込む手段を設けることにより、前記照度センサにより検出された照度に基づく前記光源の光量が、前記障害物の存在により、前記表示部に表示された映像を認識するために必要な光量よりも少なくなる虞があるときにおいては、前記障害物センサの出力を取込み、障害物を検出したことを示す出力を前記障害物センサから取込んだときに、障害物が検出されたことを示す情報を前記表示部に表示して、障害物を取除くように注意を喚起し、障害物を検出したことを示す出力を前記障害物センサから取込まなかったときには、前記照度センサにより検出された照度に基づく前記光源の光量は、前記表示部に表示された映像を認識するために必要な光量以上であり、光源の光量を調整して、前記表示部の輝度を円滑に調整することができる表示装置を提供することを目的とする。
【０００７】
また前記障害物センサの出力を逐次取込み、障害物を検出したことを示す出力を前記障害物センサから連続して複数回取込んだときに障害物が存在すると判定する手段を設けることにより、前記受光部に障害物が短時間接近していた場合、例えば障害物が受光部の前を通過した場合であって、障害物センサが障害物を検出したときに、前記情報を前記表示部に表示することを防ぐと共に、前記受光部に障害物が長時間接近している場合に、前記情報を表示することができる表示装置を提供することを目的とする。
【０００８】
また前記表示部に前記情報を表示している場合に、前記障害物センサの出力に基づいて障害物が存在するか否かを判定する手段を設けることにより、前記表示部に前記情報を表示している場合であって、前記障害物センサにより障害物が検出されたときに、前記情報の表示を継続し、前記障害物センサにより障害物が検出されなかったときに、前記情報の表示を終了して、前記光源の光量を調整し、障害物が前記受光部の前にあるときには、障害物を速やかに取除くように注意を喚起し、障害物が前記受光部の前にないときには、前記表示部の輝度を適切に調整することができる表示装置を提供することを目的とする。
【０００９】
またスピーカと、前記障害物センサにより障害物が検出されたときに、該スピーカに音を発生させる手段とを設けることにより、前記受光部に障害物が接近していることを、聴覚により認識させて、障害物を速やかに取除くように促すことができる表示装置を提供することを目的とする。
【課題を解決するための手段】
【００１０】
本発明に係る表示装置は、光源の光を使用して映像を表示する表示部と、受光部からの入力に基づいて照度を検出する照度センサと、該照度センサにより検出された照度に基づいて前記表示部の輝度を調整する輝度調整手段とを備える表示装置において、前記受光部での障害物の有無を検出する障害物センサと、該障害物センサの出力を取込む取込み手段と、該取込み手段が、障害物を検出したことを示す出力を取込んだときに、障害物が検出されたことを示す情報を前記表示部に表示する情報表示手段とを備えることを特徴とする。
【００１１】
本発明においては、前記受光部での障害物の有無を検出する障害物センサを設けることにより、前記障害物センサにより障害物が検出されたときに、障害物が検知されたことを示す情報を前記表示部に表示し、前記受光部の前に障害物を接近させてある場合には、障害物を取除くように注意を喚起する。
【００１２】
また本発明に係る表示装置は、前記照度センサにより検出された照度が所定値未満であるか否かを判定する手段を備え、該手段が、検出された照度は所定値未満であると判定したときに、前記障害物センサの出力を取込む手段を前記取込み手段は備えることを特徴とする。
【００１３】
本発明においては、前記照度センサにより検出された照度が所定値未満であるか否かを判定する手段を設け、検出された照度が所定値未満であると判定されたときに、前記障害物センサの出力を取込む手段を設けることにより、例えば前記光源の光量が、前記表示部に表示された映像を認識するために必要な光量よりも少なくなる虞があるときにおいては、前記障害物センサの出力を取込み、障害物を検出したことを示す出力を前記障害物センサから取込んだときに、障害物が検出されたことを示す情報を前記表示部に表示し、障害物を検出したことを示す出力を前記障害物センサから取込まなかったときには前記照度センサにより検出された照度に基づく前記光源の光量は、前記表示部に表示された映像を認識するために必要な光量以上であり、前記光源の光量を調整して、前記表示部の輝度を円滑に調整する。
【００１４】
また本発明に係る表示装置は、前記取込み手段は、前記障害物センサの出力を逐次取込む手段を備えており、障害物を検出したことを示す出力を、前記取込み手段が前記障害物センサから複数回連続して取込んだときに障害物が存在すると判定する手段を備え、該手段が、障害物が存在すると判定したときに、障害物が検出されたことを示す情報を前記表示部に表示する手段を前記情報表示手段は備えることを特徴とする。
【００１５】
本発明においては、前記障害物センサの出力を逐次取込み、障害物を検出したことを示す出力を前記障害物センサから連続して複数回取込んだときに障害物が存在すると判定する手段を設けることにより、前記受光部に障害物が短時間接近していた場合、例えば障害物が受光部の前を通過した場合であって、障害物センサが障害物を検出したときに、前記情報を前記表示部に表示することを防ぎ、前記受光部に障害物が長時間接近している場合に、前記情報を表示する。
【００１６】
また本発明に係る表示装置は、障害物が検出されたことを示す情報を前記表示部に表示している場合に、前記障害物センサの出力に基づいて障害物が存在するか否かを判定する手段を備え、該手段が障害物は存在すると判定したときに、前記情報の表示を継続し、該手段が障害物は存在しないと判定したときに、前記情報の表示を終了する手段を前記情報表示手段は備えることを特徴とする。
【００１７】
本発明においては、前記表示部に前記情報を表示している場合に、前記障害物センサの出力に基づいて障害物が存在するか否かを判定する手段を設けることにより、前記表示部に前記情報を表示している場合であって、前記障害物センサにより障害物が検出されたときに、前記情報の表示を継続させ、前記障害物センサにより障害物が検出されなかったときに、前記情報の表示を終了して、前記光源の光量を調整し、障害物が前記受光部の前にあるときには、障害物を速やかに取除くように注意を喚起し続け、障害物が前記受光部の前にないときには、光源の光量を調整して、前記表示部の輝度を適切に調整する。
【００１８】
また本発明に係る表示装置は、スピーカと、前記障害物センサにより障害物が検出されたときに、該スピーカに音を発生させる手段とを備えることを特徴とする。
【００１９】
本発明においては、スピーカと、前記障害物センサにより障害物が検出されたときに、該スピーカに音を発生させる手段とを設けることにより、前記受光部に障害物が接近していることを、聴覚により認識させて、障害物を速やかに取除くように促す。
【発明の効果】
【００２０】
本発明にあっては、前記受光部での障害物の有無を検出する障害物センサを設けることにより、前記障害物センサにより障害物が検出されたときに、障害物が検知されたことを示す情報を前記表示部に表示し、前記受光部の前に障害物を接近させてある場合には、障害物を取除くように注意を喚起し、例えば光源の光量を調整して、前記表示部の輝度を適切に調整することができる。
【発明を実施するための最良の形態】
【００２１】
以下本発明を実施の形態に係る表示装置を示す図面に基づいて詳述する。図１は実施の形態に係る表示装置の外観を示す模式的斜視図、図２は図１のＩＩ−ＩＩ線の断面図、図３は照度センサ付近の外観を示す模式的拡大斜視図、図４は障害物センサによる障害物の検出を説明する説明図である。
【００２２】
図において１は表示装置の筐体であり、該筐体の正面に開設してある矩形の開口部に、液晶を備える表示部２を設けてある。前記表示部２の背面側に光学シート７を設けてあり、前記筐体の内部に複数の冷陰極管６、６、・・・を並設してある。該冷陰極管６、６、・・・は、後述する調光回路６０により印加電圧のデューティ比を変更し、光量を調整する構成となっている。
【００２３】
前記筐体正面の下部であって、筐体正面の隅部分に、障害物の有無を検出する障害物センサ４、及び表示装置の設置場所での照度を検出する照度センサ５を隣接させて設けてある。前記照度センサ５は、前記筐体の正面にて露出させてある受光部５ａを備えており、該受光部５ａにて光を受光して、表示装置を設置してある場所の照度を検出する構成となっている。
【００２４】
前記障害物センサ４は赤外線を発するＬＥＤを備え、該赤外線を射出する射出部４ａと、赤外線が入射する入射部４ｂとを有している。前記障害物センサ４は、前記射出部４ａ及び入射部４ｂを前記筐体の正面にて露出させてあり、図４に示す如く、前記受光部５ａの前に光を遮る障害物Ｂが載置してある場合であって、前記射出部４ａから射出された赤外線が前記障害物Ｂにて反射し、反射した赤外線が前記入射部４ｂに入射したときに障害物Ｂの存在を検出する構成となっている。なお前記筐体の下側にはスピーカ３を設けてある。
【００２５】
次に実施の形態に係る表示装置の報知調光処理について説明する。報知調光処理とは受光部５ａの前に障害物Ｂが存在するときに、障害物Ｂが存在することを表示部２に表示し、またスピーカ３から報知音を発し、障害物Ｂが存在しないときには冷陰極管６、６、・・・の光量を調整する処理をいう。図５は表示装置の制御部のブロック図である。
【００２６】
表示装置は制御部１０を備えており、該制御部１０は報知調光処理を行うＣＰＵ１０ａと、報知及び調光を制御する制御プログラムを格納してあるＲＯＭ１０ｂと、報知調光処理に必要な情報を一時的に記憶するＲＡＭ１０ｃと、照度に応じた前記デューティ比を記憶してあるＬＵＴ１０ｄと、照度センサ５及び障害物センサ４の出力が入力される入力ポート１０ｅと、表示部２を駆動する表示部駆動回路２０、冷陰極管６、６、・・・の光量を調整する調光回路６０、及びスピーカ３を駆動するスピーカ駆動回路３０に接続してある出力ポート１０ｆとを備える。なおＲＯＭ１０ｂに、受光部５ａの前に障害物Ｂが存在することにより照度が低下している可能性があることを示す閾値（以下、閾値Ｋという。）を格納してある。
【００２７】
図６及び図７は報知調光処理の手順を示すフローチャート、図８は障害物の存在を示唆するテロップを表示部に表示した表示装置の外観を示す模式的斜視図である。
【００２８】
制御部１０は、照度センサ５の出力を取込み、表示装置の設置場所での照度（以下照度Ｌ１という。）を検出する（ステップＳ１）。そしてＲＯＭ１０ｂにアクセスして、照度Ｌ１が前記閾値Ｋ未満である否か判断する（ステップＳ２）。照度Ｌ１が閾値Ｋ以上である場合は（ステップＳ２：ＮＯ）、受光部５ａの前に障害物Ｂが存在する可能性は低く、照度Ｌ１は正確な照度であると推定され、ＬＵＴ１０ｄを参照して照度Ｌ１に対応する冷陰極管６、６、・・・への印加電圧を決定し、前記調光回路６０に印加電圧を示す信号を出力して、冷陰極管６、６、・・・を調光する（ステップＳ１１）。
【００２９】
照度Ｌ１が閾値Ｋ未満である場合は（ステップＳ２：ＹＥＳ）、照度センサ５の受光部５ａの前に障害物Ｂが存在し、照度Ｌ１が正確な照度を示していない虞があり、制御部１０は障害物センサ４の出力を取込み、反射光を検出したか否か判断する（ステップＳ３）。反射光を検出していないときは（ステップ３：ＮＯ）、受光部５ａの前に障害物Ｂは存在せず、照度Ｌ１は正確な照度であり、ＬＵＴ１０ｄを参照して照度Ｌ１に対応する冷陰極管６、６、・・・への印加電圧を決定し、調光回路６０により冷陰極管６、６、・・・を調光する（ステップＳ１１）。。
【００３０】
反射光を検出したときは（ステップＳ３：ＹＥＳ）、反射光の検出回数をカウントアップしＲＡＭ１０ｃに記憶する（ステップＳ４）。そして反射光の検出回数が所定回数以上であるか否か判断する（ステップＳ５）。反射光の検出回数が所定回数未満である場合は（ステップＳ５：ＮＯ）、障害物Ｂは受光部５ａの前に短時間存在し、受光部５ａの前から移動する蓋然性があり、ステップＳ３に戻る。反射光の検出回数が所定回数以上である場合は（ステップＳ５：ＹＥＳ）、障害物Ｂは受光部５ａの前に長時間存在し、受光部５ａの前から移動する蓋然性が低く、制御部１０は検出回数のカウントをクリアして、表示部駆動回路２０に表示信号を出力し、表示部２に、図８に示す如く、「照度センサの前に物を置いていませんか」というテロップを表示する（ステップＳ６）。そしてスピーカ駆動回路３０に駆動信号を出力し、スピーカ３から報知音を発する（ステップＳ７）。
【００３１】
次に制御部１０は障害物センサ４の出力を取込み、反射光が検出されたか否か判断する（ステップＳ８）。反射光が検出された場合は（ステップＳ８：ＹＥＳ）、前記受光部５ａの前に障害物Ｂが存在しており、ステップＳ８に戻り、テロップの表示及び報知音の発生を継続する。反射光が検出されなかった場合は（ステップＳ８：ＮＯ）、前記受光部５ａの前に障害物Ｂが存在しておらず、制御部１０は、前記表示部駆動回路２０に表示を終了する信号を出力し、スピーカ駆動回路３０に駆動を停止する信号を出力して、前記テロップの表示及び報知音の発生を終了する（ステップＳ９）。
【００３２】
そして照度センサ５の出力を取込み、照度（以下照度Ｌ２という）を検出する（ステップＳ１０）。前記受光部５ａの前に障害物Ｂは存在しないので、照度Ｌ２は正確な照度であり、制御部１０はＬＵＴ１０ｄを参照して、照度Ｌ２に対応する冷陰極管６、６、・・・への印加電圧を決定し、前記調光回路６０に印加電圧を示す信号を出力して、冷陰極管６、６、・・・を調光する（ステップＳ１１）。
【００３３】
実施の形態に係る表示装置にあっては、前記受光部５ａでの障害物Ｂの有無を検出する障害物センサ４を設けることにより、前記障害物センサ４により、障害物Ｂが検出されたときに、前記表示部２に前記テロップを表示し、前記受光部５ａの前に接近させてある障害物Ｂを取除くように注意を喚起し、表示部２の輝度を適切に調整することができる。
【００３４】
また前記照度センサ５により検出された照度Ｌ１が閾値Ｋ未満であるか否かを判定する手段を設け、検出された照度Ｌ１が閾値Ｋ未満であると判定されたときに、前記障害物センサ４の出力を取込む手段を設けることにより、前記障害物センサ４により検出された照度に基づく前記冷陰極管６、６、・・・の光量が、前記表示部２に表示された映像を認識するために必要な光量よりも少なくなる虞があるときにおいては、前記障害物センサ４の出力を取込み、障害物Ｂを検出したことを示す出力を取込んだときには、前記テロップを前記表示部２に表示して、障害物Ｂを取除くように注意を喚起し、障害物Ｂを検出したことを示す出力を取込まなかったときには、前記障害物センサ４により検出された照度に基づく前記冷陰極管６、６、・・・の光量は、前記表示部２に表示された映像を認識するために必要な光量以上であり、前記照度センサ５の出力に応じて前記冷陰極管６、６、・・・の光量を調整して、表示部２の輝度の調整を円滑に行うことができる。
【００３５】
また前記障害物センサ４の出力を逐次取込み、障害物Ｂを検出したことを示す出力を、前記障害物センサ４から連続して複数回取込んだときに、障害物Ｂが存在すると判定する手段を設けることにより、前記受光部５ａに障害物Ｂが短時間接近していた場合、例えば障害物Ｂが受光部５ａの前を通過した場合であって、障害物センサ４が障害物Ｂを検出したときに、前記テロップを前記表示部２に表示することを防ぐと共に、前記受光部５ａに障害物Ｂが長時間接近している場合に、前記テロップを表示することができる。
【００３６】
また前記表示部２に前記テロップを表示している場合に、前記障害物センサ４の出力に基づいて障害物Ｂが存在するか否かを判定する手段を設けることにより、前記表示部２に前記テロップを表示している場合であって、前記障害物センサ４により障害物Ｂが検出されたときには前記テロップの表示を継続させ、前記障害物センサ４により障害物Ｂが検出されなかったときには前記テロップの表示を終了して、前記冷陰極管６、６、・・・の光量を調整し、障害物Ｂが前記受光部５ａの前にあるときには、障害物Ｂを速やかに取除くように注意を喚起し、障害物Ｂが前記受光部５ａの前にないときには、前記冷陰極管６、６、・・・の光量を適切に調整して、表示部２の輝度を調整することができる。
【００３７】
またスピーカ３と、前記障害物センサ４により障害物Ｂが検出されたときに、該スピーカ３に報知音を発生させる手段とを設けることにより、前記受光部５ａに障害物Ｂが接近してあることを、聴覚により認識させて、障害物Ｂを速やかに取除くように促すことができる。
【００３８】
なお閾値Ｋをパラメータとし、閾値Ｋの値を適宜変更する構成としても良い。また表示部２の階調を調整する階調調整回路その他の映像信号調整回路を設け、該映像信号調整回路により、表示部２の輝度を調整する構成にしても良く、前記調光回路６０及び映像信号調整回路により、表示部２の輝度を調整する構成にしても良い。また有機ＥＬパネル、プラズマディスプレイパネルを使用した表示装置であっても良く、有機ＥＬパネル、プラズマディスプレイパネルを使用している場合は、光源と表示部とが一体になっていても良いことは言うまでもない。また報知解除スイッチを設けておき、該報知解除スイッチを手動でオンにしたときに前記テロップの表示及び報知音の発生を強制的に終了することができる構成にしても良い。また受光部５ａで使用する受光素子としてはＣｄＳセルが挙げられ、障害物センサ４としては、超音波型、光電型、又は静電容量型接近センサ等を用いても良い。また反射光を検出してから所定時間経過後に、再度障害物センサ４の出力を取込み、反射光を検出した場合に、表示部２に前記テロップを表示しても良い。また前記テロップを表示する代わりに、画面を切り替えて障害物Ｂが存在することを示す情報を表示する構成にしても良い。
【図面の簡単な説明】
【００３９】
【図１】実施の形態に係る表示装置の外観を示す模式的斜視図である。
【図２】図１のＩＩ−ＩＩ線の断面図である。
【図３】実施の形態に係る表示装置の照度センサ付近の外観を示す模式的拡大斜視図である。
【図４】実施の形態に係る表示装置の障害物センサによる障害物の検出を説明する説明図である。
【図５】実施の形態に係る表示装置の制御部のブロック図である。
【図６】実施の形態に係る表示装置の報知調光処理の手順を示すフローチャートである。
【図７】実施の形態に係る表示装置の報知調光処理の手順を示すフローチャートである。
【図８】障害物の存在を示唆するテロップを表示部に表示した表示装置の外観を示す模式的斜視図である。
【符号の説明】
【００４０】
１  筐体
２  表示部
３  スピーカ
４  物体センサ
４ａ  射出部
４ｂ  入射部
５  照度センサ
５ａ  受光部
６  冷陰極管（光源）
１０  制御部
２０  表示部駆動回路
３０  スピーカ駆動回路
６０  調光回路（輝度調整手段）
【図１】
2009025729.tif 000003
【図２】
2009025729.tif 000004
【図３】
2009025729.tif 000005
【図４】
2009025729.tif 000006
【図５】
2009025729.tif 000007
【図６】
2009025729.tif 000008
【図７】
2009025729.tif 000009
【図８】
2009025729.tif 000010